(57)【特許請求の範囲】
【請求項１】
プラントを構成する機器との間で入出力されるデータを定義したシステム生成情報を参照して、上記プラントを遠方から監視制御する遠方監視制御システムであって、
上記プラントを構成する機器との間で入出力されるデータの処理をそれぞれ行う複数の子局遠方監視制御装置、
及びこの子局遠方監視制御装置に通信回線を介して接続され、上記子局遠方監視制御装置との間でデータを入出力することにより、上記プラントを監視制御する親局遠方監視制御装置を備え、
上記子局遠方監視制御装置は、
自装置で用いられるシステム生成情報を格納した記憶装置と、
上記システム生成情報が修正された場合に、上記親局遠方監視制御装置に上記システム生成情報の修正を通知する子局側自動反映処理部とを有し、
上記親局遠方監視制御装置は、
自装置で用いられるシステム生成情報及び上記全子局遠方監視制御装置で用いられるシステム生成情報を格納した記憶装置と、
上記子局側自動反映処理部により通知された上記子局遠方監視制御装置のシステム生成情報の修正の通知に基づき、自装置のシステム生成情報の該当部分を修正する親局側自動反映処理部とを有し、
上記全子局遠方監視制御装置及び上記親局遠方監視制御装置の記憶装置にそれぞれ格納された上記システム生成情報は、テスト用のシステム生成情報と、運用用のシステム生成情報とに分けられており、
上記修正されるシステム生成情報は、テスト用のシステム生成情報であり、
上記全子局遠方監視制御装置及び上記親局遠方監視制御装置の各装置は、自装置の上記テスト用のシステム生成情報を用いて、シミュレーションを行い、上記テスト用のシステム生成情報のエラーを検出するシミュレーション処理部をそれぞれ有し、
上記シミュレーション処理部によるシミュレーションの結果、エラーが検出されない場合に上記各装置の上記テスト用のシステム生成情報を上記運用用のシステム生成情報にコピーすることを特徴とする遠方監視制御システム。
【請求項２】
上記親局側自動反映処理部は、上記子局遠方監視制御装置のシステム生成情報の修正が他の子局遠方監視制御装置に関連する場合には、上記他の子局遠方監視制御装置に上記システム生成情報の修正を通知し、
この通知を受けた上記他の子局遠方監視制御装置では、自装置の上記システム生成情報を修正することを特徴とする請求項１記載の遠方監視制御システム。
【請求項３】
上記全子局遠方監視制御装置及び上記親局遠方監視制御装置の各装置は、全装置のデータ処理状況を記録した同一のログ情報を有し、
いずれかの上記子局遠方監視制御装置でログ情報が修正されたときは、上記子局側自動反映処理部により上記親局遠方監視制御装置へ上記ログ情報の修正を通知し、
この通知を受けた上記親局遠方監視制御装置は、上記親局側自動反映処理部により、自装置のログ情報の該当箇所を修正するとともに、他の子局遠方監視制御装置に上記ログ情報の修正を通知することを特徴とする請求項１または請求項２記載の遠方監視制御システム。
【発明の詳細な説明】
【技術分野】
【０００１】
この発明は、プラントを遠隔から監視制御するための信号を定義したシステム生成情報の設定及び変更を行う遠方監視制御システムに関するものである。
【背景技術】
【０００２】
従来の遠方監視制御装置においては、監視制御装置個別に伝送信号定義などのシステム生成情報の設定・変更作業を実施していた。このため伝送信号追加等が発生した場合、複数の監視制御装置で各々システム生成情報の設定変更作業を実施する必要があった。
特許文献１には、システムのパラメータ変更をシミュレータで行い、この変更に当たってシミュレータから装置にログインし、シミュレーションの結果、変更に問題がなければ該当装置へ変更情報をダウンロードするものが記載されている。
【先行技術文献】
【特許文献】
【０００３】
【特許文献１】特開平５−４１８８２号公報（第３〜５頁、図１）
【発明の概要】
【発明が解決しようとする課題】
【０００４】
従来の遠方監視制御装置では、監視制御装置個別にシステム生成情報を設定・変更しているので、ある監視制御装置で設定・変更されたシステム生成情報に関連する監視制御装置においても個別に変更する必要があるという問題があった。
特許文献１のものでは、ある装置への変更情報は、シミュレータによって確認できるものの、関連する装置に対する変更は、別途行う必要があった。
【０００５】
この発明は、上述のような課題を解決するためになされたものであり、ある監視制御装置でシステム生成情報の変更を行った場合に、その監視制御装置に関連する監視制御装置のシステム生成情報の変更も自動で行えるようにした遠方監視制御システムを得ることを目的にしている。
【課題を解決するための手段】
【０００６】
この発明に係わる遠方監視制御システムにおいては、プラントを構成する機器との間で入出力されるデータを定義したシステム生成情報を参照して、プラントを遠方から監視制御する遠方監視制御システムであって、プラントを構成する機器との間で入出力されるデータの処理をそれぞれ行う複数の子局遠方監視制御装置、及びこの子局遠方監視制御装置に通信回線を介して接続され、子局遠方監視制御装置との間でデータを入出力することにより、プラントを監視制御する親局遠方監視制御装置を備え、子局遠方監視制御装置は、自装置で用いられるシステム生成情報を格納した記憶装置と、システム生成情報が修正された場合に、親局遠方監視制御装置にシステム生成情報の修正を通知する子局側自動反映処理部とを有し、親局遠方監視制御装置は、自装置で用いられるシステム生成情報及び全子局遠方監視制御装置で用いられるシステム生成情報を格納した記憶装置と、子局側自動反映処理部により通知された子局遠方監視制御装置のシステム生成情報の修正の通知に基づき、自装置のシステム生成情報の該当部分を修正する親局側自動反映処理部とを有し、全子局遠方監視制御装置及び親局遠方監視制御装置の記憶装置にそれぞれ格納されたシステム生成情報は、テスト用のシステム生成情報と、運用用のシステム生成情報とに分けられており、修正されるシステム生成情報は、テスト用のシステム生成情報であり、全子局遠方監視制御装置及び親局遠方監視制御装置の各装置は、自装置のテスト用のシステム生成情報を用いて、シミュレーションを行い、テスト用のシステム生成情報のエラーを検出するシミュレーション処理部をそれぞれ有し、シミュレーション処理部によるシミュレーションの結果、エラーが検出されない場合に各装置のテスト用のシステム生成情報を運用用のシステム生成情報にコピーするものである。
【発明の効果】
【０００７】
この発明は、以上説明したように、プラントを構成する機器との間で入出力されるデータを定義したシステム生成情報を参照して、プラントを遠方から監視制御する遠方監視制御システムであって、プラントを構成する機器との間で入出力されるデータの処理をそれぞれ行う複数の子局遠方監視制御装置、及びこの子局遠方監視制御装置に通信回線を介して接続され、子局遠方監視制御装置との間でデータを入出力することにより、プラントを監視制御する親局遠方監視制御装置を備え、子局遠方監視制御装置は、自装置で用いられるシステム生成情報を格納した記憶装置と、システム生成情報が修正された場合に、親局遠方監視制御装置にシステム生成情報の修正を通知する子局側自動反映処理部とを有し、親局遠方監視制御装置は、自装置で用いられるシステム生成情報及び全子局遠方監視制御装置で用いられるシステム生成情報を格納した記憶装置と、子局側自動反映処理部により通知された子局遠方監視制御装置のシステム生成情報の修正の通知に基づき、自装置のシステム生成情報の該当部分を修正する親局側自動反映処理部とを有し、全子局遠方監視制御装置及び親局遠方監視制御装置の記憶装置にそれぞれ格納されたシステム生成情報は、テスト用のシステム生成情報と、運用用のシステム生成情報とに分けられており、修正されるシステム生成情報は、テスト用のシステム生成情報であり、全子局遠方監視制御装置及び親局遠方監視制御装置の各装置は、自装置のテスト用のシステム生成情報を用いて、シミュレーションを行い、テスト用のシステム生成情報のエラーを検出するシミュレーション処理部をそれぞれ有し、シミュレーション処理部によるシミュレーションの結果、エラーが検出されない場合に各装置のテスト用のシステム生成情報を運用用のシステム生成情報にコピーするので、子局遠方監視制御装置でシステム生成情報の変更を行った場合に、親局遠方監視制御装置のシステム生成情報の変更も自動で行うことができる。
【図面の簡単な説明】
【０００８】
【図１】この発明の実施の形態１による遠方監視制御システムを示す全体構成図である。
【図２】この発明の実施の形態１による遠方監視制御システムを示す機能構成図である。
【図３】この発明の実施の形態１による遠方監視制御システムのシステム生成情報の変更処理を示すフローチャートである。
【図４】この発明の実施の形態１による遠方監視制御システムの子局遠方監視制御装置Ａのシステム生成情報を示す図である。
【図５】この発明の実施の形態１による遠方監視制御システムの子局遠方監視制御装置Ｂのシステム生成情報を示す図である。
【図６】この発明の実施の形態１による遠方監視制御システムの親局遠方監視制御装置のシステム生成情報を示す図である。
【図７】この発明の実施の形態２による遠方監視制御システムのシステム生成情報の自動反映機能を説明する説明図である。
【図８】この発明の実施の形態２による遠方監視制御システムのシステム生成情報の変更処理を示すフローチャートである。
【図９】この発明の実施の形態３による遠方監視制御システムのログ情報の自動反映機能を説明する説明図である。
【図１０】この発明の実施の形態３による遠方監視制御システムの子局遠方監視制御装置のログ情報の変更処理を示すフローチャートである。
【図１１】この発明の実施の形態３による遠方監視制御システムの親局遠方監視制御装置のログ情報の変更処理を示すフローチャートである。
【発明を実施するための形態】
【０００９】
実施の形態１．
図１は、この発明の実施の形態１による遠方監視制御システムを示す全体構成図である。
図１において、遠方監視制御システムには、有人の親局設備と、無人の子局設備がある。
親局遠方監視制御装置１を有する親局設備は、水道局などのセンター機能を有する場所に設置されている。操作員が大型表示装置２ａ、モニタ装置２ｂ等を使って、親局遠方監視制御装置１により、広域に点在するプラント設備を遠隔にて監視制御する。
また、水道における配水プラント設備には、ポンプ場、配水池、水圧監視局、水質監視局などがあり、当該水道局の給水範囲内に点在している。子局設備は、これら配水プラント設備毎に設置され、通常、無人で自動運転されている。
図１の例では、子局遠方監視制御装置Ａ５は、子局設備のポンプ場に設置されている。
子局遠方監視制御装置Ｂ７は、子局設備の配水池に設置されている。
子局遠方監視制御装置Ａ５及び子局遠方監視制御装置Ｂ７には、現場設備から、デジタル信号の接点データや計器類のアナログ情報が入力されるようになっている。
以下では、これらの接点データや計器類のアナログ情報を定義したものをシステム生成情報という。
【００１０】
親局遠方監視制御装置１と各子局遠方監視制御装置間は、ＮＴＴアナログ専用線等の通信回線４で接続され、プラント設備の監視・制御信号を送受信している。
ある子局設備が自動運転するためには、他子局設備のプラント信号が必要な場合があり、親局遠方監視制御装置１を中継して必要な信号が転送される。
図１の例では、子局遠方監視制御装置Ａ５の送水ポンプを自動制御運転するためには、子局遠方監視制御装置Ｂ７の”配水池水位”信号が必要である。このため、配水池水位信号を子局遠方監視制御装置Ｂ７から収集した親局遠方監視制御装置１が、子局遠方監視制御装置Ａ５に転送するようになっている。
【００１１】
図２は、この発明の実施の形態１による遠方監視制御システムを示す機能構成図である。
図２において、１、４、５は図１におけるものと同一のものである。上位計算機設備２は、図１の大型表示装置２ａ、モニタ装置２ｂを含む設備で、親局遠方監視制御装置１に接続されている。親局遠方監視制御装置１には、親局遠方監視制御装置１のシステム生成情報を修正するための保守用装置３が配置され、子局遠方監視制御装置Ａ５には、子局遠方監視制御装置Ａ５のシステム生成情報を修正するための保守用装置６が配置されている。
親局遠方監視制御装置１は、記憶装置を有する計算機であり、次のように構成されている。
上位計算機通信処理部１１は、上位計算機設備２と通信する。データ処理部１２は、子局遠方監視制御装置Ａ５との間でデータをやり取りし、システム生成情報（運用用）１５を参照して、上位計算機通信処理部１１への伝送や、現場設備へ監視・制御信号を入出力するためのデータ処理を行う。自動反映処理部１３（親局側自動反映処理部）は、子局遠方監視制御装置Ａ５から送られるシステム生成情報に基づき、自装置の保存するシステム生成情報１６への反映を自動的に行う。
【００１２】
システム生成情報（テスト用）１６は、自装置を含む全子局設備のシステム生成情報を有し、子局遠方監視制御装置のシステム生成情報が変更された場合には、自動反映処理部１３によって自動的に変更されるようになっている。
シミュレーション処理部１４は、子局遠方監視制御装置のシステム生成情報が変更された場合や、自装置のシステム生成情報が変更された場合に、変更されたシステム生成情報（テスト用）１６について、シミュレーションを行い、その反映の良否を判定する。ここで、良の場合に、システム生成情報（テスト用）１６により、システム生成情報（運用用）１５を更新し、実際の運用に使用される。
なお、システム生成情報（テスト用）１６とシステム生成情報（運用用）１５は、データベースになっており、記憶装置に格納されている。
通信処理部１７は、通信回線４を介して、子局遠方監視制御装置Ａ５と通信を行う。
【００１３】
子局遠方監視制御装置Ａ５は、記憶装置を有する計算機であり、次のように構成されている。
入力／出力処理部５１は、現場設備との間で信号のやり取りを行う。この信号には、入力されるデジタル情報の接点信号や計器類のアナログ情報が含まれ、また、現場設備へ出力される制御信号が含まれる。
データ処理部５２は、入力／出力処理部５１からの入力信号に基づき、自装置のシステ
ム生成情報（運用用）５５を参照して、データ処理を行い、制御信号を入力／出力処理部５１を介して現場設備へ出力する。また、親局遠方監視制御装置１との間でデータのやり取りを行う。
自動反映処理部５３（子局側自動反映処理部）は、自装置のシステム生成情報（テスト用）５６が修正された場合に、親局遠方監視制御装置１に反映させるために、親局遠方監視制御装置１に送信する。
【００１４】
システム生成情報（テスト用）５６は、自装置のシステム生成情報であり、保守用装置６によって修正される。
シミュレーション処理部５４は、自装置のシステム生成情報（テスト用）５６が変更された場合に、シミュレーションを行い、その反映の良否を判定する。ここで、良の場合に、システム生成情報（テスト用）５６により、システム生成情報（運用用）５５を更新し、実際の運用に使用される。
なお、システム生成情報（テスト用）５６とシステム生成情報（運用用）５５は、データベースになっており、記憶装置に格納されている。
通信処理部５７は、通信回線４を介して、親局遠方監視制御装置１の通信処理部１７との間で通信を行う。
【００１５】
図３は、この発明の実施の形態１による遠方監視制御システムのシステム生成情報の変更処理を示すフローチャートである。
【００１６】
図４は、この発明の実施の形態１による遠方監視制御システムの子局遠方監視制御装置Ａのシステム生成情報を示す図である。
図４においては、子局遠方監視制御装置Ａのシステム生成情報のデータベース構造を示している。各フィールドについて説明する。局番号２１は、自装置を示す番号である。データ種別２２は、システム生成情報のデータの種別であり、計測データ、接点データなどが含まれる。項目名称２３は、システム生成情報の名称である。計測項目２４は、データ種別２２が計測データの場合に、そのデータの範囲と単位を示している。表示項目２５は、表示方式と警報種別があり、表示方式では、稼働中や停止中などの状態信号であることを示すＤと、故障を示すＡとがあり、Ｄの場合にはシンボル画面の該当機器を色替え表示し、Ａの場合には、該当機器をフリッカさせるとともにブザーを鳴らすようになっている。影響のある局番号２６は、そのシステム生成情報に関連する子局遠方監視制御装置を局番号で示している。
【００１７】
図５は、この発明の実施の形態１による遠方監視制御システムの子局遠方監視制御装置Ｂのシステム生成情報を示す図である。
図５においては、子局遠方監視制御装置Ｂのシステム生成情報のデータベース構造であり、２１〜２６は図４におけるものと同一のものである。
【００１８】
図６は、この発明の実施の形態１による遠方監視制御システムの親局遠方監視制御装置のシステム生成情報を示す図である。
図６においては、親局遠方監視制御装置１のシステム生成情報のデータベース構造を示し、局番号００で示される親局遠方監視制御装置１固有のシステム生成情報の他に、子局遠方監視制御装置Ａのシステム生成情報と、子局遠方監視制御装置Ｂのシステム生成情報とを有している。
図６において、２１〜２３は図４におけるものと同一のものである。上位伝送２７は、親局遠方監視制御装置１に接続された大型表示装置やモニタ装置に伝送するかどうかを定義している。
【００１９】
次に、動作について説明する。
いずれかの子局遠方監視制御装置で、保守用装置によりシステム生成情報の設定・変更作業が実施された場合、親局遠方監視制御装置１のシステム生成情報も自動的に変更される。
例えば、子局遠方監視制御装置Ａ５のシステム生成情報を設定・変更した場合、対向通信先である親局遠方監視制御装置１の有するシステム生成情報が自動的に変更されるようになっている。
以下、詳細に説明する。
【００２０】
通常運転時は、現場設備からのデータ（水位、故障信号など）は子局遠方監視制御装置Ａ５に入力され、データ検定、エラーチェック等のデータ処理を実施した後に、親局遠方監視制御装置１に送信される。
親局遠方監視制御装置１では、子局遠方監視制御装置Ａ５から送信されたデータを処理した後、大型表示装置２ａやモニタ装置２ｂなどの上位計算機設備２に出力する。
親局遠方監視制御装置１と子局遠方監視制御装置Ａ５は、現場設備から入力した各データに対して、データ種別、項目名称、計測項目等を含むシステム生成情報を有する。これらのシステム生成情報は、それぞれの装置のシステム定義データベースに格納されている。
【００２１】
システムを構成する親局遠方監視制御装置１、子局遠方監視制御装置Ａ５などの各装置は、システム生成情報を参照しながらデータ処理を実施する。このため、現場設備に変更が発生した場合（例：水位信号のスケール変更、信号の追加／削除）、システム生成情報を修正する必要がある。
従来では、このため、現場設備に変更が生じた際、システム生成情報の修正が発生する装置全てに対して、操作員を配置し、各々手動でシステム生成情報を修正したのち動作確認試験を実施していた。
本発明では、各装置各々で手動設定・変更した後、動作確認試験を実施する手順を大幅に簡略化するために以下のような操作手順になっている。
【００２２】
次に、子局遠方監視制御装置Ａ５でシステム生成情報の修正があった場合の処理について、図２と図３を基にして説明する。
現場設備に変更が発生した際、子局遠方監視制御装置Ａ５に保守用装置６を接続し、子局遠方監視制御装置Ａ５のシステム生成情報（テスト用）５６を修正する（Ｓ１）。
次に、子局遠方監視制御装置Ａ５のシステム生成情報（テスト用）５６の変更にともない、子局遠方監視制御装置Ａ５の自動反映処理部５３が、親局遠方監視制御装置１の自動反映処理部１３に対し、子局遠方監視制御装置Ａ５のシステム生成情報の修正を通知する（Ｓ２）。
次いで、親局遠方監視制御装置１の自動反映処理部１３は、親局遠方監視制御装置１のシステム生成情報（テスト用）１６を自動的に修正する（Ｓ３）。
【００２３】
次いで、親局遠方監視制御装置１のシステム生成情報（テスト用）１６の修正が終了したのち、保守用装置６にて子局遠方監視制御装置Ａ５のシミュレーション処理部５４の起動を手動操作する（Ｓ４）。
子局遠方監視制御装置Ａ５と親局遠方監視制御装置１のシミュレーション処理部５４、１４は、連携して双方のシステム生成情報にエラーが生じないかチェックする（Ｓ５）。
このシミュレーションでは、各子局遠方監視制御装置は、自装置のシステム生成情報について、シミュレーションを行い、親局遠方監視制御装置１は、自装置のシステム生成情報についてシミュレーションを行うとともに、関連する子局遠方監視制御装置間のシステム生成情報の関連性についてもシミュレーションによるチェックを行う。
このチェックは、例えば、子局遠方監視制御装置Ａ５で、水位信号のスケール値を０〜５ｍから０〜３ｍに修正したが、親局遠方監視制御装置１のシステム生成情報（テスト用
）１６では０〜５ｍのまま修正されていなかったため、不一致が発生し、エラーとなるなどである。
つまり、このシミュレーションでは、全装置が自装置のシステム生成情報について一斉にかつ各別にシミュレーションを実行する。
【００２４】
エラーの有無により（Ｓ６）、シミュレーション処理の結果がＯＫであれば、子局遠方監視制御装置Ａ５と親局遠方監視制御装置１のシステム生成情報（テスト用）の内容を、それぞれのシステム生成情報（運用用）にコピーする（Ｓ７）。
シミュレーション結果がＮＧの場合は、子局遠方監視制御装置Ａ５と親局遠方監視制御装置１のシステム生成情報（テスト用）の内容を破棄（クリア）して（Ｓ８）終了する。
なお、システム生成情報（テスト用）をシステム生成情報（運用用）にコピーする際は、子局遠方監視制御装置Ａ５と親局遠方監視制御装置１を同時に実行する必要があるため、所定の時刻（例：次の正時、次の日替わり時）に自動的に実行する機能を有する。
【００２５】
実施の形態１によれば、子局遠方監視制御装置Ａのシステム生成情報の修正時に、親局遠方監視制御装置のシステム生成情報に自動的に反映させ、シミュレーションにより動作を確認してから、運用用とすることにより、不一致によるエラーの発生を防止することができる。
【００２６】
実施の形態２．
図７は、この発明の実施の形態２による遠方監視制御システムのシステム生成情報の自動反映機能を説明する説明図である。
図７において、１〜６、１３〜１７、５３〜５７は図２におけるものと同一のものである。図７には、子局遠方監視制御装置Ｂ７が、通信回線４に接続されている。子局遠方監視制御装置Ｂ７は、子局遠方監視制御装置Ａ５と同様の構成であり、自動反映処理部７３と、シミュレーション処理部７４と、システム生成情報（運用用）７５と、システム生成情報（テスト用）７６と、通信処理部７７とにより構成されている。
【００２７】
図８は、この発明の実施の形態２による遠方監視制御システムのシステム生成情報の変更処理を示すフローチャートである。
【００２８】
次に、動作について説明する。
実施の形態２は、子局遠方監視制御装置Ｂ７のシステム生成情報の設定・変更が対向先の親局遠方監視制御装置１だけでなく、他の子局装置である子局遠方監視制御装置Ａ５にも波及する場合についてのものである。
この場合、親局遠方監視制御装置１を介して子局遠方監視制御装置Ａ５のシステム生成情報も自動的に変更されるようになっている。
【００２９】
ある子局遠方監視制御装置のシステム生成情報を変更すると、他の子局遠方監視制御装置にも影響を与える場合がある。しかし子局遠方監視制御装置同士は、直接通信することができない構成のため、従来では、子局遠方監視制御装置毎に各々手動でシステム生成情報の修正を実施する必要があった。
図７の例では、子局遠方監視制御装置Ｂ７でシステム生成情報の修正が発生しているが、この場合、従来では、子局遠方監視制御装置Ｂ７、親局遠方監視制御装置１、子局遠方監視制御装置Ａ５の３箇所に操作員を派遣する必要があった。
例えば、子局遠方監視制御装置Ｂ７で配水池水位のスケールが変更になり、子局遠方監視制御装置Ｂ７のシステム生成情報の配水池水位スケール０〜５ｍを０〜３ｍに修正したとする。
子局遠方監視制御装置Ａ５では、配水池水位により、送水ポンプ起動／停止の自動制御を実行（水位低で起動、水位高で停止）するため、子局遠方監視制御装置Ａ５内部の配水
池水位スケールも同時に修正する必要がある。
【００３０】
本発明では、ある子局遠方監視制御装置のシステム生成情報を修正すると、親局遠方監視制御装置を仲介して、他の子局遠方監視制御装置のシステム生成情報も自動的に修正し、かつシステム生成情報修正が発生した全ての親局遠方監視制御装置、子局遠方監視制御装置に対するシミュレーション処理を実行するように構成したため、操作員は１箇所に居るだけでよい。
【００３１】
次に、図７を用いて、子局遠方監視制御装置Ｂ７のシステム生成情報を修正した場合に、子局遠方監視制御装置Ａ５のシステム生成情報を自動的に修正するときの処理について説明する。
子局遠方監視制御装置Ｂ７に保守用装置６を接続し、システム生成情報を修正する（Ｓ１１）。この際、修正するデータのシステム生成情報には、間連先として子局遠方監視制御装置Ａ５が登録されている。（図５の影響のある局番号２６を参照）
子局遠方監視制御装置Ｂ７のシステム生成情報の修正に伴い、子局遠方監視制御装置Ｂ７の自動反映処理部７３は、親局遠方監視制御装置１の自動反映処理部１３に対し、子局遠方監視制御装置Ｂ７のシステム生成情報の修正を通知する（Ｓ１２）。
【００３２】
親局遠方監視制御装置１の自動反映処理部１３は、自身のシステム生成情報（テスト用）１６を修正するとともに、”関連先”として登録されている子局遠方監視制御装置Ａ５の自動反映処理部５３にその修正を通知する（Ｓ１３）。
これを受けて、子局遠方監視制御装置Ａ５では、自動反映処理部５３が自身のシステム情報（テスト用）５６を修正する。この修正が完了した時点で、自動反映処理部５３は、親局遠方監視制御装置１の自動反映処理部１３に通知し、この修正内容により、システム生成情報（テスト用）１６の当該部分を修正する（Ｓ１４）。
【００３３】
全てのシステム生成情報の修正が完了したのち、保守用装置６にて子局遠方監視制御装置Ｂ７のシミュレーション処理部７４の起動を手動操作する（Ｓ１５）。
これに基づき、子局遠方監視制御装置Ｂ７、親局遠方監視制御装置１、子局遠方監視制御装置Ａ５の各シミュレーション処理部は、連携してシステム生成情報にエラーが無いかどうかをチェックする（Ｓ１６）。
エラーの有無により（Ｓ１７）、シミュレーション処理の結果がＯＫであれば、それぞれの装置のシステム生成情報（テスト用）の内容をシステム生成情報（運用用）にコピーする（Ｓ１８）。
シミュレーション結果がＮＧの場合は、子局遠方監視制御装置Ｂ７、親局遠方監視制御装置１、子局遠方監視制御装置Ａ５のシステム生成情報（テスト用）の内容を破棄（クリア）して（Ｓ１９）終了する。
【００３４】
なお、システム生成情報（テスト用）をシステム生成情報（運用用）にコピーする際は、子局遠方監視制御装置Ｂ７、親局遠方監視制御装置１、子局遠方監視制御装置Ａ５を同時に実行する必要があるため、所定の時刻（例：次の正時、次の日替わり時）に自動的に実行する機能をそれぞれの装置が有するものとする。
【００３５】
実施の形態２によれば、ある子局遠方監視制御装置のシステム生成情報を修正すると、親局遠方監視制御装置を仲介して、他の子局遠方監視制御装置のシステム生成情報も自動的に修正され、かつシステム生成情報変更が発生した全ての親局遠方監視制御装置、子局遠方監視制御装置に対するシミュレーション処理を実行するように構成したため、各現場設備に操作員を派遣する必要がなく、１箇所のみに操作員が居ればよい。
【００３６】
実施の形態３．
実施の形態３は、システムを構成する親局遠方監視制御装置、全ての子局遠方監視制御装置の処理状態をログ情報として記録する場合についてのものである。
図９は、この発明の実施の形態３による遠方監視制御システムのログ情報の自動反映機能を説明する説明図である。
図９において、１〜６、１１〜１３、１７、５１〜５３、５７は図２におけるものと同一のものである。親局遠方監視制御装置１には、全装置のデータ処理状態の記録であるログ情報１８が、記憶装置のデータベース内に保存され、子局遠方監視制御装置Ａ５には、ログ情報１８と同一内容のログ情報５８がデータベース内に保存されている。ログ情報１８とログ情報５８は同じもので、システムを構成する全装置（親局遠方監視制御装置、子局遠方監視制御装置Ａ〜Ｎ）のデータ処理状態の記録が含まれている。
これにより、どの装置であっても、全装置のログ情報が参照可能となる。
【００３７】
図１０は、この発明の実施の形態３による遠方監視制御システムの子局遠方監視制御装置のログ情報の変更処理を示すフローチャートである。
【００３８】
図１１は、この発明の実施の形態３による遠方監視制御システムの親局遠方監視制御装置のログ情報の変更処理を示すフローチャートである。
【００３９】
次に、動作について説明する。
親局遠方監視制御装置と全ての子局遠方監視制御装置は、データ処理部、通信処理部、入力／出力処理部、上位計算機処理部、自動反映処理部等で実行される処理の状態をログ情報として所定のログファイルに自動記録する機能を有する。
従来は、各装置毎にその装置のログ情報を保管していたため、自装置のログ情報しか参照できなかった。このため、システム障害解析等で複数の装置のログ情報の参照が必要な場合、各々の現場に赴き、個別にログ情報を収集する必要があった。
本発明では、親局遠方監視制御装置と全ての子局遠方監視制御装置が、同一内容のログ情報を保有できる仕組みを実装することで、１箇所で全装置のログ情報の参照を可能にするものである。
【００４０】
次に、子局遠方監視制御装置で変更されたログ情報の変更処理について、図１０を用いて説明する。
まず、子局遠方監視制御装置Ａ５でログ情報５８が変更された場合、自装置のログ情報５８を修正する（Ｓ２１）。次に、自動反映処理部５３により、親局遠方監視制御装置１の自動反映処理部１３に通知し、自動反映処理部１３により、親局遠方監視制御装置１で保有する子局遠方監視制御装置Ａ５のログ情報１８を修正する（Ｓ２２）。
さらに自動反映処理部１３からの通知により、子局遠方監視制御装置Ａ５以外の全遠方監視制御装置のログ情報についても、各子局遠方監視制御装置の自動反映処理部の処理により、自装置で保有する子局遠方監視制御装置Ａ５のログ情報を修正する（Ｓ２３）。
【００４１】
次に、親局で変更されたログ情報の変更処理について、図１１を用いて説明する。
親局遠方監視制御装置１のログ情報１８に修正が発生した場合は、自装置のログ情報１８を修正する（Ｓ３１）。次いで、自動反映処理部１３により、全子局遠方監視制御装置の自動反映処理部に通知し、全子局遠方監視制御装置の自動反映処理部の処理により、自装置で保有する親局遠方監視制御装置１のログ情報を修正する（Ｓ３２）。
これにより、親局遠方監視制御装置１と全子局遠方監視制御装置に同一内容のログ情報が保管される。このため、どの装置においても全装置のログ情報を閲覧可能になる。
【００４２】
なお、ログ情報の変更は、頻繁に発生するため、自動反映処理部で他装置に通知するタイミングを設定できるようにする。（例：正時毎、日替わり時等）
【００４３】
実施の形態３によれば、親局遠方監視制御装置と全子局遠方監視制御装置に同一内容のログ情報が保管されるため、どの装置からでも全装置のログ情報を閲覧することができる。
【符号の説明】
【００４４】
１  親局遠方監視制御装置
２  上位計算機設備
３  保守用装置
４  通信回線
５，７  子局遠方監視制御装置
１１  上位計算機通信処理部
１２  データ処理部
１３  自動反映処理部
１４  シミュレーション処理部
１５  システム生成情報（運用用）
１６  システム生成情報（テスト用）
１７  通信処理部
１８  ログ情報
５１  入力／出力処理部
５２  データ処理部
５３，７３  自動反映処理部
５４，７４  シミュレーション処理部
５５，７５  システム生成情報（運用用）
５６，７６  システム生成情報（テスト用）
５７，７７  通信処理部
５８  ログ情報
【図１】
0005562224.tif 000002
【図２】
0005562224.tif 000003
【図３】
0005562224.tif 000004
【図４】
0005562224.tif 000005
【図５】
0005562224.tif 000006
【図６】
0005562224.tif 000007
【図７】
0005562224.tif 000008
【図８】
0005562224.tif 000009
【図９】
0005562224.tif 000010
【図１０】
0005562224.tif 000011
【図１１】
0005562224.tif 000012